(57)【要約】【課題】エアフローの方向を変更できる回転式エアガンを提供すること。【解決手段】エアガン本体と制御部材と、からなるエアガンであって、該エアガン本体は第一、第二端部を有する外筒とグリップとを有し、第一端部と第二端部との間に収容部が形成され、外筒の外周壁に接合されるグリップの内部には気体注入室とガイド路とが設けられ、外筒の収容部の内部に設けられる制御部材の外周壁には、開放状態の第一案内部と開放状態の第二案内部とが並列され、第一案内部の開放側に第一端部に向かって少なくとも一つの連通孔を有する第一リング状溝が形成されると共に、第二案内部の開放側に第二端部に向かって少なくとも一つの連通孔を有する第二リング状溝が設けられる。【選択図】図１
0003125137.tif 000002
【実用新案登録請求の範囲】
【請求項１】
エアガン本体と制御部材と、からなるエアガンであって、
該エアガン本体は、第一端部と第二端部とを有する外筒と、グリップとを有し、
該第一端部と第二端部との間に外筒を貫通する収容部が形成されると共に、
該グリップは外筒の外周壁に接合され、該グリップの内部に、外部の気体供給部材と連結可能な気体注入室と、該気体注入室を外筒に接続するためのガイド路とが設けられ、該ガイド路と気体注入室との連通関係がグリップにより制御され、
前記制御部材は、外筒の収容部の内部に所定角度の範囲で回転可能に設けられ、該制御部材の外周壁に、前記グリップのガイド路に対応する、前記第一端部側が開放状態の第一案内部と、前記第二端部側が開放状態の第二案内部とが隣り合うように並列され、更に、該第一案内部の開放側に第一端部に向かって少なくとも一つの傾斜の連通孔を有する第一リング状溝が形成されると共に、該第二案内部の開放側に第二端部に向かって少なくとも一つの傾斜の連通孔を有する第二リング状溝が設けられることを特徴とする、
回転式エアガン。
【請求項２】
前記第一リング状溝と第二リング状溝との間に前記制御部材の外周壁の形状に対応する封止部材が設けられ、該封止部材に少なくとも前記第一案内部と第二案内部に夫々対応する凹部が形成されることを特徴とする、請求項１に記載の回転式エアガン。
【請求項３】
前記制御部材の外周壁における、前記第一リング状溝の外側及び前記第二リング状溝の外側に夫々封止リングを取り付けるための密閉溝が形成されることを特徴とする、請求項１に記載の回転式エアガン。
【考案の詳細な説明】
【技術分野】
【０００１】
本考案は、特に回転可能な制御部材を有し、該制御部材の回転動作によってエアフローの方向を変更できる回転式エアガンに関するものである。
【背景技術】
【０００２】
図６乃至図８に示すように、従来のエアフローの方向を変更できるエアガンは、エアガン本体（６０）と、制御部材（７０）と、螺合部材（８０）を備える。
【０００３】
前記エアガン本体（６０）は、第一端部（６１１）と第二端部（６１２）を有する外筒（６１）、及びグリップ（６２）を有し、該第一端部（６１１）から第二端部（６１２）にわたって空気流通部（６１３）が形成されると共に、該空気流通部（６１３）における第二端部（６１２）側に空気流通部（６１３）より内径の大きい収容部（６１４）が形成され、更に、該空気流通部（６１３）と収容部（６１４）との間にストッパー（６１５）が設けられ、該収容部（６１４）における第二端部（６１２）側の内周壁に内ねじ山（６１６）が設けられる。
【０００４】
前記グリップ（６２）は、前記外筒（６１）の外周壁に接合され、該グリップ（６２）の内部に、外部の気体供給部材と連結するための気体注入室（６２１）と、該気体注入室（６２１）を外筒（６１）の収容部（６１４）と連通させるためのガイド路（６２２）とが設けられると共に、該気体注入室（６２１）とガイド路（６２２）との間に、両者の連通関係を制御するためのトリガー（６２３）が設けられる。
【０００５】
また、前記制御部材（７０）は、外筒（６１）における収容部（６１４）の内部に設けられると共に、２つの端部を有し、該２つの端部に夫々封止リング（７２）を取付けるための密閉溝（７１）が形成され、更に、該制御部材（７０）の外周壁に前記グリップ（６２）のガイド路（６２２）に対応するリング状溝（７３）が形成され、該リング状溝（７３）に収容部（６１４）に連通する複数の連通孔（７３１）が傾斜状に形成される。
【０００６】
そして、前記螺合部材（８０）には、外筒（６１）に接続するために、前記収容部（６１４）の内ねじ山（６１６）に対応する外ねじ山（８１）が形成される。
【０００７】
従来の、エアフローの方向を変更できるエアガンを、第一端部（６１１）が気体を吸い込めるように使用する時は、前記制御部材（７０）の連通孔（７３１）の内側の開口を第二端部（６１２）に向かって、該制御部材（７０）を前記収容部（６１４）に取付けると共に、前記螺合部材（８０）の外ねじ山（８１）を該収容部（６１４）の内ねじ山（６１６）に螺合させ、該制御部材（７０）を収容部（６１４）の内部に固定し、前記封止リング（７２）により気密室を成す。
【０００８】
前記トリガー（６２３）を押し、気体注入室（６２１）から気体をガイド路（６２２）に通過させ、制御部材（７０）のリング状溝（７３）に注入する時、気体が連通孔（７３１）から外筒（６１）の第二端部（６１２）へ吹き出し、外筒（６１）の内部のエアフローを第二端部（６１２）へ流動させ、該エアガンの第一端部（６１１）で気体を吸い込むことが可能となる。
【０００９】
前記エアガンの第一端部（６１１）で気体を吹き出そうと欲せば、前記制御部材（７０）の連通孔（７３１）の内側の開口を第一端部（６１１）に向かって、該制御部材（７０）を前記収容部（６１４）に取付けてから、前記螺合部材（８０）を螺合することにより、外筒（６１）の内部のエアフローを第一端部（６１１）へ流動させ、該エアガンを第一端部（６１１）で気体を吹き出させる。
【考案の開示】
【考案が解決しようとする課題】
【００１０】
しかしながら、従来の、エアフローの方向を変更できるエアガンは、エアフローの方向を変更する度に、エアガン本体（６０）を分解し、再び組み合わせなければならないので、使用上、利便性に優れない。
【００１１】
本考案は以上の点に鑑みて成されたもので、その目的とするところは、回転可能な制御部材を有し、該制御部材の回転動作によってエアフローの方向を変更する回転式エアガンを提供することにある。
【課題を解決するための手段】
【００１２】
本願の第１考案は、エアガン本体と制御部材と、からなるエアガンであって、該エアガン本体は、第一端部と第二端部とを有する外筒と、グリップとを有し、該第一端部と第二端部との間に外筒を貫通する収容部が形成されると共に、該グリップは外筒の外周壁に接合され、該グリップの内部に、外部の気体供給部材と連結可能な気体注入室と、該気体注入室を外筒に接続するためのガイド路とが設けられ、該ガイド路と気体注入室との連通関係がグリップにより制御され、前記制御部材は、外筒の収容部の内部に所定角度の範囲で回転可能に設けられ、該制御部材の外周壁に、前記グリップのガイド路に対応する、前記第一端部側が開放状態の第一案内部と、前記第二端部側が開放状態の第二案内部とが隣り合うように並列され、更に、該第一案内部の開放側に第一端部に向かって少なくとも一つの傾斜の連通孔を有する第一リング状溝が形成されると共に、該第二案内部の開放側に第二端部に向かって少なくとも一つの傾斜の連通孔を有する第二リング状溝が設けられることを特徴とする回転式エアガン、を提供する。
【００１３】
本願の第２考案は、前記第一リング状溝と第二リング状溝との間に前記制御部材の外周壁の形状に対応する封止部材が設けられ、該封止部材に少なくとも前記第一案内部と第二案内部に夫々対応する凹部が形成されることを特徴とする、前記第１考案に記載の回転式エアガン、を提供する。
【００１４】
本願の第３考案は、前記制御部材の外周壁における、前記第一リング状溝の外側及び前記第二リング状溝の外側に夫々封止リングを取り付けるための密閉溝が形成されることを特徴とする、前記第１考案に記載の回転式エアガン、を提供する。
【考案の効果】
【００１５】
本考案は上記の課題を解決するものであり、回転可能な制御部材を有し、エアガン本体を分解せずとも、該制御部材の回転動作によってエアフローの方向を変更できるので、使用上の利便性と効率を向上させることができる。
【考案を実施するための最良の形態】
【００１６】
以下、添付図面を参照して本考案の好適な実施の形態を詳細に説明する。
以降の実施例は、本考案の好適な実施の形態を示したものにすぎず、本考案の技術的範囲は、下記の実施例そのものに何ら限定されるものではない。
【００１７】
図１は本考案に係るエアガンの分解斜視図であり、図２は本考案に係るエアガンにおける制御部材の斜視図であり、図３は本考案に係るエアガンにおける制御部材の他の斜視図であり、図４は本考案に係るエアガンの使用状態を示す断面図であり、図５は本考案に係るエアガンの使用状態を示す他の断面図である。
【００１８】
図１乃至図３に示すように、本考案の回転式エアガンは、エアガン本体（１０）と制御部材（２０）と、からなる。
該エアガン本体（１０）は、外筒（１１）と、グリップ（１２）と、位置決めボルト（１３）とを有する。
前記外筒（１１）は、第一端部（１１１）と第二端部（１１２）とを有し、両端部（１１１，１１２）の間にエアガン本体（１０）を貫通する収容部（１１３）が形成されると共に、該外筒（１１）の第一端部（１１１）に、内径が該収容部（１１３）より小さい取付部（１１５）が取付けられ、該外筒（１１）の外周壁に前記収容部（１１３）に連通する位置決め孔（１１４）が設けられている。
図４と図５に示すように、該グリップ（１２）は、該外筒（１１）の外周壁に接合され、該グリップ（１２）の内部に、外部の気体供給部材と連接可能な気体注入室（１２１）と、該気体注入室（１２１）を外筒（１１）に接続するためのガイド路（１２２）とが設けられ、該ガイド路（１２２）と気体注入室（１２１）との間に、両者の連通関係を制御するためのトリガー（１２３）が設けられると共に、該位置決めボルト（１３）が前記位置決め孔（１１４）に螺合される。
前記制御部材（２０）は、外筒（１１）の収容部（１１３）の内部に設けられ、該制御部材（２０）の外周壁に、前記位置決め孔（１１４）と対応する長方形の位置決め溝（２１）が形成され、前記位置決めボルト（１３）の一端が、位置決め孔（１１４）を通じて該位置決め溝（２１）の底部と接触することにより、該制御部材（２０）の旋転範囲を制限している。
又、該制御部材（２０）の外周壁には、前記グリップ（１２）のガイド路（１２２）に対応する、前記第一端部（１１１）側が開放状態の第一案内部（２２）と、前記第二端部（１１２）側が開放状態の第二案内部（２３）とが隣合うように並列されている。
更に、該第一案内部（２２）の開放側に第一端部（１１１）に向かって少なくとも一つの傾斜の連通孔（２４１）を有する第一リング状溝（２４）が形成されると共に、該第二案内部（２３）の開放側に第二端部（１１２）に向かって少なくとも一つの傾斜の連通孔（２５１）を有する第二リング状溝（２５）が設けられる。
【００１９】
前記第一リング状溝（２４）と第二リング状溝（２５）との間に、前記制御部材（２０）の外周壁の形状に対応する封止部材（２６）が設けられ、該封止部材（２６）に少なくとも前記第一案内部（２２）、第二案内部（２３）及び位置決め溝（２１）に夫々対応する凹部が形成されると共に、該制御部材（２０）の外周壁における、前記第一リング状溝（２４）の外側及び前記第二リング状溝（２５）の外側に、夫々封止リング（２８）を取付けるための密閉溝（２７）が形成されている。
さらに、前記外筒（１１）における第二端部（１１２）の外部から露出する制御部材（２０）の外周壁に、一つの制御リング（２９）が凸設される。
該制御リング（２９）により該制御部材（２０）をスムーズに回転させることができる。
【００２０】
図４に示すように、本考案の回転式エアガンの第一端部（１１１）で気体を吹き出そうとする時は、前記制御部材（２０）を回転させ、前記第一案内部（２２）を前記グリップ（１２）のガイド路（１２２）に連通させる。
そして、前記ガイド路（１２２）と前記気体注入室（１２１）との間に設けられるトリガー（１２３）を押圧し、気体がグリップ（１２）の気体注入室（１２１）からガイド路（１２２）を通過すると共に、制御部材（２０）の第一リング状溝（２４）に注入し、気体が連通孔（２４１）から外筒（１１）の第一端部（１１１）へ吹き出した後、外筒（１１）の内部の気体が第一端部（１１１）へ流動することにより、気体がエアガンの第一端部（６１１）から吹き出すことが可能となる。
【００２１】
図５に示すように、本考案の回転式エアガンの第一端部（１１１）から気体を吸い込もうとする時は、前記制御部材（２０）を回転させ、前記第二案内部（２３）を前記グリップ（１２）のガイド路（１２２）に連通させ、そして、前記ガイド路（１２２）と前記気体注入室（１２１）との間に設けられるトリガー（１２３）を押圧し、気体がグリップ（１２）の気体注入室（１２１）からガイド路（１２２）を通過すると共に、制御部材（２０）の第二リング状溝（２５）に注入し、気体が連通孔（２５１）から外筒（１１）の第二端部（１１２）へ吹き出した後、外筒（１１）の内部の気体が第二端部（１１２）へ流動することにより、気体が該エアガンの第一端部（６１１）から吸い込むことが可能となる。
【００２２】
本考案は上記の構成を有し、エアガン本体を分解せずとも、該制御部材の回転動作によってエアフローの方向を変更できるので、使用上の利便性と効率を向上させることができる。
【図面の簡単な説明】
【００２３】
【図１】本考案に係るエアガンの分解斜視図である。
【図２】本考案に係るエアガンにおける制御部材の斜視図である。
【図３】本考案に係るエアガンにおける制御部材の他の斜視図である。
【図４】本考案に係るエアガンの使用状態を示す断面図である。
【図５】本考案に係るエアガンの使用状態を示す他の断面図である。
【図６】従来のエアフローの方向を変更できるエアガンの分解斜視図である。
【図７】従来のエアフローの方向を変更できるエアガンの使用状態を示す断面図である。
【図８】従来のエアフローの方向を変更できるエアガンの使用状態を示す他の断面図である。
【符号の説明】
【００２４】
（１０）エアガン本体      （１１）外筒
（１１１）第一端部        （１１２）第二端部
（１１３）収容部          （１１４）位置決め孔
（１１５）取付部          （１２）グリップ
（１２１）気体注入室      （１２２）ガイド路
（１２３）トリガー        （１３）位置決めボルト
（２０）前記制御部材      （２１）位置決め溝
（２２）第一案内部        （２３）第二案内部
（２４）第一リング状溝    （２４１）連通孔
（２５）第二リング状溝    （２５１）連通孔
（２６）封止部材          （２７）密閉溝
（２８）封止リング        （２９）制御リング
（６０）エアガン本体      （６１）外筒
（６１１）第一端部        （６１２）第二端部
（６１３）空気流通部      （６１４）収容部
（６１５）ストッパー      （６１６）内ねじ山
（６２）グリップ          （６２１）気体注入室
（６２２）ガイド路        （６２３）トリガー
（７０）制御部材          （７１）密閉溝
（７２）封止リング        （７３）リング状溝
（７３１）連通孔          （８０）螺合部材
（８１）外ねじ山
【図１】
0003125137.tif 000003
【図２】
0003125137.tif 000004
【図３】
0003125137.tif 000005
【図４】
0003125137.tif 000006
【図５】
0003125137.tif 000007
【図６】
0003125137.tif 000008
【図７】
0003125137.tif 000009
【図８】
0003125137.tif 000010